(57)【特許請求の範囲】
【請求項１】
シンクの排水孔とディスポーザとを連結するホッパ部材をそなえ、前記ホッパ部材が上部にシンクの排水孔に連結する取付部と、取付部の下方に続けて設けた円筒部と、円筒部の下方にディスポーザの投入口に連結する連結部をそなえ、前記円筒部の中に排水孔から挿脱が可能な水切りかごを収納した厨芥処理装置において、前記水切りかごの底板に厨芥の排出口を設け、水切りかごの中心位置に支持部材によって回転可能に設けられた操作軸と、前記操作軸の上部に設けられたハンドルと、前記操作軸の下端部に径方向の掻き出しレバーを取り付け、前記排出口を開閉する蓋板を水切りかごの底板と重ねるように設け、操作軸の回動によって掻き出しレバーで蓋板を移動させ、排出口を開閉させる蓋開閉装置をそなえたことを特徴とする厨芥処理装置。
【請求項２】
シンクの排水孔とディスポーザとを連結するホッパ部材をそなえ、前記ホッパ部材が上部にシンクの排水孔に連結する取付部と、取付部の下方に続けて設けた円筒部と、円筒部の下方にディスポーザの投入口に連結する連結部をそなえ、前記円筒部の中に排水孔から挿脱が可能な水切りかごを収納した厨芥処理装置において、前記水切りかごの底板に厨芥の排出口を設け、この排出口に取り付けられ中心から放射状に切れ目を入れた弾性板からなる弾性蓋と、前記水切りかごの中心位置に支持部材によって軸方向に摺動可能に支持させ、下端部を前記弾性蓋の中央から下方に突出させた操作軸と、前記操作軸の上部に設けられたハンドルと、前記ハンドルの下端部に設けられ弾性蓋の下面を支持する保持片とを設け、前記保持片を操作軸とともに押し下げて弾性蓋を開くようにした蓋開閉装置をそなえたことを特徴とする厨芥処理装置。
【発明の詳細な説明】
【０００１】
【発明の属する技術分野】
本発明は、シンクの排水孔に連結して野菜屑や魚骨等の厨芥を破砕するディスポーザをそなえた厨芥処理装置に関する。
【０００２】
【従来の技術】
従来、野菜屑や魚骨等の厨芥を粉砕するディスポーザをシンクの排水孔に取り付ける場合に、ディスポーザの投入口とシンクの排水孔の径が合っていれば直接連結することができるが、異径のときは、例えば図６に示すようにディスポーザの投入口とシンクの間に異径連結管を介して連結している。
すなわち、１はディスポーザで、ケーシング１１の上端に投入口１２と、その下方に破砕室１３を設けており、破砕室１３には駆動モータ１４の回転軸１５に取り付けた回転円板１６と、この回転円板１６の外周近傍の上面に取り付けた打撃刃１７および回転円板１６の外周に空隙を介して対向する固定刃リング１８をそなえている。このディスポーザ１は、シンク２の排水孔２１に異径連結管３を介挿して結合される。２２は排水孔２１に設けた弾性蓋で、中心から放射状に切れ目を入れたゴムなどの弾性板で形成している。
このように構成した処理装置で厨芥を処理する場合は、厨芥が出るたびにシンクの排水孔２１から水とともに厨芥を異径連結管３を通してそのままディスポーザ１に投入させている。
【０００３】
【発明が解決しようとする課題】
したがって、厨芥がシンク２の排水孔２１から排出されると、ディスポーザ１の投入口１２に直接投入されて回転円板１６の上に落ちるので、回転円板１６が回転していない状態で厨芥が投入されると、回転円板１６上に厨芥が堆積し、堆積したままの状態で回転円板１６を回転させても、堆積により厨芥が打撃刃１７に接触しており、回転による打撃刃１７と厨芥との衝撃が小さく、打撃刃による破砕が効率よく行われないだけでなく、駆動モータに大きな負荷が加わって駆動モータを破損する恐れがある。
このため、シンク２から厨芥を排出させるときは、常に回転円板１６を回転させておく必要があり、少量の厨芥を断続的に投入するときにも、ディスポーザ１を連続運転させ、厨芥の投入がない間も回転円板１６を空転させておくか、投入のたびに回転円板１６の起動、停止を繰り返さねばならず、駆動モータ１４に無理がかかるとともに、消費電力の無駄を生じる欠点があった。
本発明は、ディスポーザの破砕を効率よく行わせ、消費電力の無駄を防ぎ、厨芥の投入操作も簡単な厨芥処理装置を提供することを目的とする。
【０００４】
【課題を解決するための手段】
上記課題を解決するため本発明は、シンクの排水孔とディスポーザとを連結するホッパ部材をそなえ、このホッパ部材にシンクの排水孔と連結する取付部と、取付部の下方に続けて設けた円筒部と、円筒部の下方にディスポーザの投入口に連結する連結部とをそなえ、前記円筒部の中に排水孔から挿脱ができるように収納した水切りかごを設け、この水切りかごの底板に厨芥の排出口を設け、この排出口を開閉する開閉蓋装置をそなえている。
【発明の実施の形態】
このため、シンクの排水孔とディスポーザを連結するホッパ部材を設け、このホッパ部材の取付部をシンクの排水孔に連結し、取付部の下に続く円筒部内に、排水孔から挿脱することができる水切りかごを収納しており、排水孔からの厨芥を水切りかごの中に溜めて、必要なときに水切りかごに溜まった厨芥をディスポーザに投入するようにしている。
なお、ディスポーザに厨芥を投入する場合に、水切りかごをホッパ部材から取り出す手数を省くため、水切りかごの底板に厨芥を排出する排出口を設け、水切りかごの中心位置に支持部材によって回転可能に設けられた操作軸をそなえ、この操作軸の上部に設けられたハンドルと、操作軸の下端部に径方向の掻き出しレバーを取り付け、前記排出口とほぼ同じ形状の蓋板を水切りかごの底板と重なるように設け、操作軸の回動によって掻き出しレバーで蓋板を移動させ、排出口を開閉させるようにしてある。
また、水切りかごの底板に円形の排出口を設けて、中心から放射状に切れ目を入れた弾性板からなる弾性蓋を取り付け、前記水切りかごの中心位置に軸方向に摺動可能な操作軸を支持させ、操作軸の下端部を前記弾性蓋の中央から下方に突出させて弾性蓋の下面を支持する保持片を設け、前記保持片を操作軸とともに押し下げて弾性蓋を開き厨芥を排出させるようにすることもできる。
【０００５】
【実施例】
以下、本発明を図に示す実施例について説明する。
図１および図２において、１はディスポーザ、１１はケーシングで投入口１２と破砕室１３をそなえている。１４は駆動モータ、１５は回転軸、１６は回転軸１５に取り付けた回転円板、１７は回転円板１６の外周近傍の上面に設けた打撃刃、１８は回転円板１６の外周に空隙を介して対向する固定刃リングで、内周に複数の突起で形成した固定刃をそなえている。１９は排出管である。
２はシンクで、排水孔２１を設け、中心から放射状に切れ目を入れたゴムなどの弾性板からなる弾性蓋２２をそなえている。
４はホッパ部材で、上部に前記シンクの排水孔２１に連結する取付部４１と、取付部の下方に続けて設けた円筒部４２と、円筒部下方にディスポーザの投入口に連結する連結部４３とをそなえ、連結具４４でディスポーザ１の投入口１２に連結している。
５は前記円筒部４２の中に、排水孔２１から挿脱できるように収納した水切りかごで、側板５１および底板５２に水切り穴５３を設けており、この実施例では上端のフランジ部５４をホッパ部材４上部の段部に係止させているが、底板５２をホッパ部材の小径部に係合させて保持するようにしてもよい。
【０００６】
５５は底板５２に設けた厨芥の排出口で、図の実施例では底板の片側にほぼ半円状に開口させている。６は前記排出口５５を開閉する蓋板で、底板５２の排出口５５とほぼ同じ半円状で若干大きな径をそなえ、底板５２の上に重ねて設けられ、後述する蓋開閉装置７で操作される。
蓋開閉装置７は、水切りかご５の中心位置に支持部材７１によって回転可能に支持された操作軸７２をそなえており、７３は操作軸の上部に設けたハンドル、７４は操作軸７２の下端部に底板５２の上方で径方向に取り付けた掻き出しレバー、７５は蓋板６の一方端縁に突出させて取り付けた係止片で、前記掻き出しレバー７４に係合し、掻き出しレバー７４の回動にともなって蓋板６の位置を移動させる。
【０００７】
蓋板６を排出口５５の位置に回動させ、図２（ａ）のように、蓋板６で排出口５５を塞いだ状態にしておけば、駆動モータ１４を停止した状態で厨芥Ｗを水切りかご５に投入しておくことができる。
水切りかご５内の厨芥を処理するときは、ディスポーザ１の駆動モータ１４を起動して回転円板１６が回転している状態にし、ハンドル７３により操作軸７２を回し、掻き出しレバー７４を係止片７５に係合させて押すことにより蓋板６を矢印方向に回動させると、図２（ｂ）のように排出口５５が開いて、厨芥Ｗをディスポーザ１の破砕室１３に投入させる。この場合、水切りかごの底板５２上の厨芥は、掻き出しレバー７４に押されて排出口５５からディスポーザ１に投入され、蓋板６の上に溜まった厨芥は、排出口５５を開口させた後に、操作軸７２を前記とは反対方向に回し、係止片７５に係合させないで掻き出しレバー７４を蓋板６の上で回動させることによって投入される。
なお、排出口５５の形状は、半円に限られず、扇形などにすることもでき、これに蓋板の形状を合わせて、排出口を開閉させるようにすればよい。
また、厨芥の排出量が多い場合は、排出口５５を開いたままで処理し、必要に応じて操作軸７２を回転させ、掻き出しレバー７４で底板や蓋板に溜まった厨芥を投入させればよい。
【０００８】
図３および図４は本発明の別の実施例を示す側断面図で、先の実施例と同じ部分に同じ符号を付している。
この実施例では、水切りかご５の底板５２に大きな排出口５６を設け、この排出口５６にシンク２の排水孔２１に設けた弾性蓋２２と同様の、中心から放射状に切れ目を入れたゴムなどの弾性体からなる弾性蓋９を設けている。８は前記弾性蓋９を開閉操作する蓋開閉装置で、水切りかご５の支持部材８１に支持された操作軸８２は、軸方向に摺動可能に支持されている。８３はハンドル、８４は操作軸８２に設けた係止ピンで、支持部材８１の操作軸孔に前記係止ピン８４を通す切り溝（図示しない）を設けており、操作軸８２の下端を弾性蓋９の中央から下に突出させて、弾性蓋９の下面で弾性蓋の撓みを防ぐ保持片８５を取り付けている。保持片８５は、操作軸８２の係止ピン８４を支持部材８１の上面に接触させた状態で弾性蓋９が閉じるようにしており、リングを数本のステーで操作軸に取り付け、リング部分で弾性蓋９の下面を保持して撓みを防ぐようにしている。なお、保持片８５は、放射状のレバーで弾性蓋を支え、あるいは中高にして厨芥が落ちるようにした円板などを用いることもできる。
【０００９】
操作軸８２の係止ピン８４を支持部材８１の上面に引き上げて、保持片８５で弾性蓋９を下から保持した状態では、図５（ａ）に示すように、弾性蓋９の弾性片は閉じて厨芥を通す隙間は生じておらず、シンク２の排水孔２１からの厨芥は水切りかご５に溜まり、図１のときと同様に、駆動モータ１４を停止した状態で厨芥Ｗを水切りかご５に投入しておくことができる。
水切りかご５内の厨芥を処理するときは、ディスポーザ１の駆動モータ１４を起動して回転円板１６が回転している状態にし、ハンドル８３により操作軸８２を回して係止ピン８４を支持部材８１の切り溝に通し、操作軸８２を押し下げると保持片８５が下降して弾性蓋９が厨芥の重みで撓み、図５（ｂ）に示すように中心部から隙間９１ができ、図４に示すように厨芥はディスポーザ１の回転円板１６上に投入される。
なお、多量の厨芥が排出される場合は、操作軸８２の係止ピン８４を支持部材８１の下におろしておけば、保持片８５が弾性蓋９を閉鎖しないので、シンクからの厨芥は、水切りかご４内に溜まることなく、そのままディスポーザ１に投入され連続して処理される。
【００１０】
【発明の効果】
以上述べたように本発明によれば、シンクの排水孔の下方に連結したホッパー部材の円筒部内に水切りかごを収納し、シンクから排出される厨芥を水切りかご内に溜めることができ、溜った厨芥を一括して一時にバッチ処理することができるので、ディスポーザの駆動モータを常時運転させる必要がなく、厨芥の破砕処理を効果的に行わせるとともに、消費電力の無駄を防ぐことができる。
また、水切りかごの底板に厨芥の排出口を設け、この排出口を開閉する蓋開閉装置をそなえることによって、厨芥のバッチ処理とともに、厨芥量が多いときには連続処理を行うことができる。なお、操作軸の操作により蓋開閉装置の開きにつれて水切りかご内の厨芥が投入され、水切りかごに堆積した厨芥が一時に投入されないので、バッチ処理をしてもディスポーザの刃や駆動モータに無理が加わらず、破損や焼損などの損傷をすることがないなどの効果がある。
【００１１】
【図面の簡単な説明】
【図１】  本発明の他の実施例を示す側面図で上半部を断面にしてある。
【図２】  （ａ）は、図１の実施例における水切りかごの排出口を閉じた状態を示す平面図、（ｂ）は排出口を開いた状態を示す平面図である。
【図３】  本発明の別の実施例を示す側面図で上半部を断面にしてある。
【図４】  図５の実施例における厨芥の投入状態を示す一部側断面図である。
【図５】  （ａ）は、図３の実施例における水切りかごの排出口を閉じた状態を示す平面図、（ｂ）は排出口を開いた状態を示す平面図である。
【図６】 ディスポーザの投入口とシンクの排水孔が異形の場合の従来例を示す上半部を断面にした側面図である。
【符号の説明】
１  ディスポーザ
１２  投入口
１３  破砕室
１４  駆動モータ
１５  回転軸
１６  回転円板
２  シンク
２１  排水孔
４  ホッパ部材
４２  円筒部
５  水切りかご
５２  底板
５５  排出口
６  蓋板
７  蓋開閉装置
７１  支持部材
７２  操作軸
７４  掻き出しレバー
７５  係止片
８  蓋開閉装置
８１  支持部材
８２  操作軸
８４  係止ピン
８５  保持片
９  弾性蓋
【図１】
0004054087.tif 000002
【図２】
0004054087.tif 000003
【図３】
0004054087.tif 000004
【図４】
0004054087.tif 000005
【図５】
0004054087.tif 000006
【図６】
0004054087.tif 000007